(57)【要約】【課題】バイオマス系廃棄物等の有機廃棄物の有効利用に不可欠であり、材料詰まりを防止した搬送装置の提供を目的とする。【解決手段】搬送材料の貯留タンクと、貯留タンクから供給された搬送材料を搬送する搬送機構部とを備え、搬送機構部は、搬送筒と、搬送筒内に内蔵した搬送チェーンを有し、搬送チェーンは搬送筒の底部又は下側傾斜部に向けて突設した搬送爪を有し、前記搬送爪は搬送筒の底部又は下側傾斜部に沿って搬送材料を引き上げるように搬送するものであることを特徴とする。【選択図】  図１
2011236034.tif 000002
【特許請求の範囲】
【請求項１】
搬送材料の貯留タンクと、貯留タンクから供給された搬送材料を搬送する搬送機構部とを備え、
搬送機構部は、搬送筒と、搬送筒内に内蔵した搬送チェーンを有し、
搬送チェーンは搬送筒の底部又は下側傾斜部に向けて突設した搬送爪を有し、前記搬送爪は搬送筒の底部又は下側傾斜部に沿って搬送材料を引き上げるように搬送するものであることを特徴とする搬送装置。
【請求項２】
搬送筒は水平部と斜め上方に向けて延在した傾斜部を有し、
水平部に設けた開口部に搬送材料を供給するものであることを特徴とする請求項１記載の搬送装置。
【請求項３】
前記貯留タンクは底部に搬送材料移送コンベアと、貯留タンクのコンベア移送側の側壁下端側に搬送材料供給口を有することを特徴とする請求項１又は２記載の搬送装置。
【請求項４】
前記搬送材料がバイオマス系の有機廃棄物であることを特徴とする請求項１〜３のいずれかに記載の搬送装置。
【発明の詳細な説明】
【技術分野】
【０００１】
本発明は、木質チップ等の木質系廃棄物、畜産系有機廃棄物、生活有機系廃棄物及び有機系産業廃棄物等のバイオマス系廃棄物の搬送に適した搬送装置に関する。
【背景技術】
【０００２】
近年、エネルギー源の脱石油化の下に、森林資源の有効活用、畜産系廃棄物の有効活用等、バイオマス系廃棄物の有効利用が検討されている。
例えば、特許文献１に有機系廃棄物から燃料ガスを生成する技術を提案している。
この場合に燃料ガス発生装置等の装置に廃棄物を安定して搬送供給する必要がある。
ところが、例えば図７に示したような木質チップや畜産系廃棄物として排出される牛糞等は、相互にからまりやすく従来の例えば樹脂ペレット用のラセンスクリュー搬送機等では搬送材料がスクリューの歯の間に詰まり、安定した搬送が困難であった。
【先行技術文献】
【特許文献】
【０００３】
【特許文献１】特開２００６−２９９０１１号公報
【発明の概要】
【発明が解決しようとする課題】
【０００４】
本発明は、バイオマス系廃棄物等の有機廃棄物の有効利用に不可欠であり、材料詰まりを防止した搬送装置の提供を目的とする。
【課題を解決するための手段】
【０００５】
本発明に係る搬送装置は、搬送材料の貯留タンクと、貯留タンクから供給された搬送材料を搬送する搬送機構部とを備え、搬送機構部は、搬送筒と、搬送筒内に内蔵した搬送チェーンを有し、搬送チェーンは搬送筒の底部又は下側傾斜部に向けて突設した搬送爪を有し、前記搬送爪は搬送筒の底部又は下側傾斜部に沿って搬送材料を引き上げるように搬送するものであることを特徴とする。
【０００６】
ここで搬送筒は、有機系廃棄物の利用装置に向けて材料を搬送するものであり、材料の投入口と、搬出口とを有する。
材料と水平方向に搬送する場合と上方に向けて搬送する場合が想定されるが、材料詰まりが生じやすいのは垂直あるいは斜め上方に向けて搬送する場合である。
そこで本発明は、搬送筒の下側の傾斜部に沿って搬送爪を上方にチェーン移動させることで、材料を搬送爪にてかき上げるように、あるいは引き上げるようにして順次搬送するようにした点に特徴がある。
このようにすると、材料がチェーンに直接からまるのを防止できるとともに、搬送チェーンが材料を引き上げ、材料の搬出口から逆方向に反転した後ではチェーンたるみが生じることになるので、さらに材料詰まりが少なくなる。
【０００７】
よって、搬送筒は水平部と斜め上方に向けて延在した傾斜部を有し、水平部に設けた開口部に搬送材料を供給するものであってよい。
また、貯留タンクに貯留した搬送材料を安定的に取り出すには、前記貯留タンクは底部に搬送材料移送コンベアと、貯留タンクのコンベア移送側の側壁下端側に搬送材料供給口を有するようにしてもよい。
【発明の効果】
【０００８】
本発明にあっては、搬送筒の内部に搬送チェーンを内蔵し、搬送チェーンに取り付けた搬送爪を搬送筒の下側の斜面部に沿って上方に引き上げるようにしたので搬送材料同士のからまりを防止し、チェーンに搬送材料が詰まるのを効果的に防止する。
【図面の簡単な説明】
【０００９】
【図１】搬送機構部の構造例を示す。（ａ）は全体図、（ｂ）はチェーン部の拡大図、（ｃ）は搬出筒の上面視を示す。
【図２】貯留タンクの構造例を示す。（ａ）は正面視、（ｂ）は平面視、（ｃ）は側面視である。
【図３】貯留タンクの材料供給口と、搬送筒の材料投入口との位置関係を示す。
【図４】バイオマス燃料ボイラーに燃料として有機廃棄物を供給する例を示す。
【図５】バイオマス燃料ボイラーの構造例を示す。
【図６】バイオマス燃料ボイラーの原理図を示す。
【図７】木質チップの例を示す。
【発明を実施するための形態】
【００１０】
本発明に係る搬送装置の構造例を以下、図面に基づいて説明する。
搬送装置は図１に示すように貯留タンク１０と貯留タンクの供給口から投入された有機系廃棄物（以下、材料という）を斜め上方に搬送する搬送機構部２０とから構成されている。
【００１１】
貯留タンク１０は図２に示すように底部に沿って移送コンベア１１が張設されていて、移送コンベアはギヤモータ１２に連結した減速ギヤ１３を介して回転駆動制御されている駆動軸１４と、従動軸１５との間に張設されている。
コンベア１１は、張設調整具１６にて張り具合を調整する。
【００１２】
貯留タンクに貯留された材料は、コンベア１１の回転により少量ずつ供給口１７から搬送筒２１の投入口２１ａに投入される。
木質チップ等の材料は、相互にからまりやすくコンベア１１で材料を移送する際にも塊りやすいので、コンベア１１の表面に突起を設けて供給口１７に向けて、かき出すようにするとよい。
【００１３】
搬送機構部２０は、断面筒状の搬送筒２１の内部に搬送チェーン２３が内蔵されている。
搬送筒２１は、水平部２１ｂと傾斜部２１ｃとからなり、図３に示すように水平部２１ｂに材料を投入するための開口部２１ａを有する。
搬送チェーン２３は搬送筒２１の上部側に設けた駆動ギヤモータ２４に連結された駆動スプロケット２５ａと水平部の後端側に設けた従動スプロケット２５ｃとの間に張設されていて、水平部２１ｂと傾斜部２１ｃとの間のコーナー部には屈曲スプロケット２５ｂを介して搬送チェーン２３が張られている。
搬送チェーン２３は複数のチェーンコマが相互に回動自在に連結されているとともに、一定間隔毎に搬送爪２３ａが取り付けられていて、下側の搬送爪２３ａが搬送筒２１の下側の斜面部に沿って図１で矢印で示すように引き上げられるように回転する。
搬送爪の形状には特に限定がないが、図１（ｂ）に拡大図を示すように本実施例では搬送チェーン２３に側面視Ｌ字型のブラケット２３ｂを取り付け、これに板状の爪をボルト固定した例になっている。
これにより、材料は搬送チェーン２３の下側と搬送筒２１の下側傾斜部の内側面との間に材料を収納するようにして引き上げられることになる。
よって、搬送チェーン２３は図１にて下側が張り、上側の反転チェーンの部分はたるみが生じている。
このように、搬送爪２３ａが材料を搬送筒２１の内側で、傾斜面に沿って、引き上げるので、チェーンコマに材料か巻き込むのを抑え、反転側チェーンの部分ではチェーンコマが緩むので搬出筒２２に落下しなかった材料もこのチェーンコマが緩む際に落下する。
たるみの量は、チェーン張設調整具２６にて調整できる。
搬送筒２１の上端には、下斜め方向に開口した搬出筒２２を有し、この搬出筒２２から材料が搬出される。
【００１４】
次に、本発明に係る搬送装置の使用例について説明する。
図４にビニールハウスＢ内に設置したバイオマス燃料ボイラーＡに有機廃棄物を燃料として供給する例を示す。
バイオマス燃料ボイラーＡは、図５に外観図、図６に原理図を示す。
燃料投入口１から投入された燃料は一次燃焼部２にて燃料のガス化、炭化を行ない、二次燃焼部３にて未燃ガス、炭の燃焼が行われる。
燃焼に必要なエアーは吸気ファン４にて供給され、熱交換部６に送風ファン７の風を吹きつけることで温風が得られ、ビニルハウス内があたためられる。
なお、燃焼後の排ガスは排気ファン８により排気筒９ａから強制排気される。
また、緊急時には燃焼炉より自然排気筒５を介して外部に排気される。
【符号の説明】
【００１５】
１０      貯留タンク
１１      移送コンベア
１２      ギヤモータ
１３      減速ギヤ
１４      駆動軸
１５      従動軸
１６      張設調整具
１７      供給口
２０      搬送機構部
２１      搬送筒
２２      搬出筒
２３      搬送チェーン
２３ａ    搬送爪
２４      駆動ギヤモータ
２５ａ    駆動スプロケット
２５ｂ    屈曲スプロケット
２５ｃ    従動スプロケット
２６      チェーン張設調整具
【図１】
2011236034.tif 000003
【図２】
2011236034.tif 000004
【図３】
2011236034.tif 000005
【図４】
2011236034.tif 000006
【図５】
2011236034.tif 000007
【図６】
2011236034.tif 000008
【図７】
2011236034.tif 000009